(57)【特許請求の範囲】
【請求項１】
異なる速度で移動するコンベアを直列に配置し、該コンベア上に乗客を載せて乗込口から降口まで搬送する動く歩道であって、該乗客の手を案内する案内装置を備えているものにおいて、
該コンベアの動きに同期して前記乗込口から降口まで移動するハウジングを設け、該ハウジングには手摺バーを水平方向に摺動自在に設け、該手摺バーの反コンベア側を案内するガイドレールを備えたことを特徴とする動く歩道の乗客案内装置。
【請求項２】
該ハウジングは歯を有し、歯付ベルトにより駆動されることを特徴とする請求項１に記載の動く歩道の乗客案内装置。
【請求項３】
該ハウジングは複数有し、ハウジングどうしはリンクで連結されていることを特徴とする請求項１に記載の動く歩道の乗客案内装置。
【発明の詳細な説明】
【０００１】
【発明の属する技術分野】
本発明は、動く歩道に最適な乗客案内装置に関するものである。
【０００２】
【従来の技術】
従来より、動く歩道には大きく分けて、乗客をパレット上に載せるパレット式とベルト上に載せるベルト式が存在するが、最近ではそれぞれの方式について、途中で乗客の搬送速度が変化する可変速式の動く歩道も提案されるようになってきている。
【０００３】
【発明が解決しようとする課題】
特に、可変速式動く歩道の場合、乗客が常時手でつかむ手摺装置の構造が極めて複雑になり、乗客の安全や要望を十分満しているとも言いがたかった。
【０００４】
本発明は、上記の点に鑑みなされたもので、極めてシンプルで安全な乗客案内装置を提供することを目的とする。
【０００５】
【課題を解決するための手段】
本発明は、異なる速度で移動するコンベアを直列に配置し、該コンベア上に乗客を載せて乗込口から降口まで搬送する動く歩道であって、該乗客の手を案内する案内装置を備えているものにおいて、該コンベアの動きに同期して乗込口から降口まで移動するハウジングを設け、該ハウジングには手摺バーを水平方向に摺動自在に設け、該手摺バーの反コンベア側を案内するガイドレールを備えるものである。
【０００６】
【発明の実施の形態】
本発明は、コンベアの動きに合わせて、移動する乗客案内装置を進退自在に設けるものである。
【０００７】
【実施例】
以下、本発明の一実施例について、図面を用いて説明する。
一例として、簡単のためベルトが定速で動くベルト式動く歩道に本発明に係る乗客案内装置を採用した場合の全体図を図１に示す。図２は図１の平面図、図３は図１におけるＩ−Ｉ線断面図、図４は図２におけるＰ部詳細図、図５は図４におけるＩＩ−ＩＩ線断面図、図６は図１におけるＱ部詳細図、図７はチェーン１０の詳細図である。
【０００８】
図中、１は乗客が乗る踏面ベルトで、駆動ローラ２（駆動機１００の動力で駆動チェーン１０１及びスプロケット１０２により駆動される）により一定の速度で循環運転が行われる。３ａ〜３ｅは踏面ベルト１が巻き掛けられているアイドルローラ、４、５は踏面ベルトの終端部に配設されたローラ３ａ、３ｂにそれぞれ対向するように配置された乗降板である。
【０００９】
１０は後述する機構により、踏面ベルト１と同期して略同じ速度で循環移動する案内チェーンで、この案内チェーン１０には図７に示すように所定の間隔を置いてチェーンリンクを兼用したハウジング１１が設けられている。１２はこのハウジング１１を貫通して摺動自在に設けられた本発明に係る手摺バーで、一端にはローラ１２ａが回動自在に設けられている。
【００１０】
即ち、駆動機１００とスプロケット１０２との間には駆動チェーン１０１により駆動されるスプロケット１０３を配置し、このスプロケット１０３の回転を分割チェーン１０４でスプロケット１０５に伝え、このスプロケット１０５の歯とハウジング１１のローラ１１ａとの歯み合せにより案内チェーン１０が踏面ベルトと略同一速度で移動するものである。
【００１１】
次に、１３は本発明に係る欄干パネルで、この欄干パネル１３には前述の手摺バー１２が突出可能な切欠き１３ａが設けられている。１４は欄干内部に設けられたガイドレールで、動く歩道の中央部では欄干パネル１３寄り、乗降口部では反欄干パネル１３側に配置されており、手摺バー１２のローラ１２ａを案内する。
【００１２】
手摺バー１２がこのような構造で支持案内されているため、案内チェーン１０が踏面ベルト１と同期して同じ速度で循環すると、動く歩道への進入口及び退出口では手摺バー１２が欄干パネル１３内に完全に隠れているので、動く歩道への乗客の進入・退出には全く支障がなく、乗客が踏面ベルト１上に乗るところでは既にローラ１２ａがガイドレール１４の傾斜部に案内されて手摺バー１２が欄干パネル１３内から完全に引き出されており、乗客がこの手摺バー１２につかまった状態で安全に乗り込むことができる。
【００１３】
又、降り口では乗客はこの手摺バー１２に案内されて乗降板５に安全に降り立つことができる。
【００１４】
この手摺バー１２が欄干パネル１３内から完全に引き出された状態は例えば図３に示すように、左右から手摺バー１２が突出した状態で、この左右の手摺バーの間を乗客が通り抜けられるようにもなっている。
【００１５】
以上の説明では、定速式の動く歩道に本発明を適用した一例を述べたが、次に途中で乗客の搬送速度が変化する可変速式動く歩道に本発明を応用した場合の一例を説明する。
【００１６】
図８は最近提案されているベルト乗り継ぎタイプの可変速式動く歩道の一例を示す全体図である。図中１ａ〜１ｆは速度の異なる踏面ベルトで、乗降板４、５に面する踏面１ａの速度が一番遅く、中央部に行くほど速度が速く、踏面１ｆの速度が一番速いベルトを直列に配置した動く歩道である。図中、図１と同一符号のものは同一のものを示す。
【００１７】
図９はベルト乗り継ぎ部における手摺バー１２の支持案内機構を示す図であり、図１０は図９のＩＩＩ−ＩＩＩ線矢視図である。
【００１８】
図中、図１乃至図５と同一符号のものは同一のものを示すが、２０、２０’はハウジング２１、２１’の駆動用歯付ベルトで、それぞれベルトに対応する速度で循環する。後述する機構により、それぞれ対象とするベルトと略同じ速度、つまり踏面ベルト１ａならばその速度、踏面ベルト１ｂならばその速度というように、対応するベルト速度で循環するように構成されている。
【００１９】
４０、４１は踏面ベルト１ｂの帰還側に巻き掛けられたローラで、ローラ４１には同軸にスプロケット１１０が取付けられ、分割チェーン１１１によりスプロケット１１２に回転力が伝えられ、同軸に取付けられたスプロケットにより駆動用歯付ベルト２０’が踏面ベルト１ｂと略同一速度で移動するようになっている。そして、駆動用歯付ベルト２０も同様の機構で駆動される。
【００２０】
２１、２１’は前述の駆動用歯付ベルト２０、２０’と歯合する歯を有するハウジングで、このハウジング２１、２１’にはリンク３０、３０’の一端が回動自在に設けられ、他端が互いに連結されて、この連結部にはリンクローラ３１が回動自在に取付けられている。
【００２１】
３４はリンクローラ３１を案内するガイドレールで、ベルトの乗り継ぎ部では隣接する駆動用歯付ベルト２０と２０’との速度差によりハウジング２１と２１’との間隔が変化するため、それを吸収できるように図９に示すように上下方向に傾斜部を構成している。
【００２２】
このハウジング２１あるいは２１’が駆動用歯付ベルト２０あるいは２０’から離れたときは、欄干パネル１３の切欠き１３ａに手摺バー１２が支持され、摺動されて次の駆動用歯付ベルトにハウジング２１、２１’が引き継がれてゆくことになる。
【００２３】
このような機構であれば、隣接する踏面ベルトの移動速度が同一あるいはたとえ異なっていても、その変化に柔軟に対応できるので何ら支障は生じない。
【００２４】
以上の説明では、動力伝達機構にチェーンとスプロケットを使用した例について述べているが、ベルトなど周知な機械要素を代りに用いることができるのは言うまでもないことである。
又、本発明はベルトコンベア式の動く歩道のみならずパレット式動く歩道あるいはあらゆる可変速式動く歩道に適用できることも明らかである。
【００２５】
【発明の効果】
以上述べたように本発明によれば、あらゆる形式の動く歩道においても、従来の移動手摺に代わりうる簡単でかつ安全な乗客案内装置を得ることができる。
特に可変速式動く歩道に対し本発明に係る乗客案内装置を使用した場合には、今まで解決が困難であった乗降口での乗客のい集の問題を解決できる効果を発揮する。
【図面の簡単な説明】
【図１】本発明に係る乗客案内装置の一例を示す全体図である。
【図２】図１の平面図である。
【図３】図１におけるＩ−Ｉ線断面図である。
【図４】図２におけるＰ部詳細図である。
【図５】図４におけるＩＩ−ＩＩ線断面図である。
【図６】図１におけるＱ部詳細図である。
【図７】チェーン１０の詳細図である。
【図８】ベルト乗り継ぎタイプの可変速式動く歩道の一例を示す全体図である。
【図９】図８における手摺バー１２の支持案内機構を示す図である。
【図１０】図９のＩＩＩ−ＩＩＩ線矢視図である。
【符号の説明】
１，１ａ，１ｂ，１ｃ，１ｄ，１ｆ  踏面ベルト
４，５              乗降板
１１，２１，２１’  ハウジング
１２                手摺バー
１３                  欄干
３０                  リンク
【図１】
0003613047.tif 000002
【図２】
0003613047.tif 000003
【図３】
0003613047.tif 000004
【図４】
0003613047.tif 000005
【図５】
0003613047.tif 000006
【図６】
0003613047.tif 000007
【図７】
0003613047.tif 000008
【図８】
0003613047.tif 000009
【図９】
0003613047.tif 000010
【図１０】
0003613047.tif 000011